(57)【要約】【課題】  液体トナーを用いる湿式電子写真装置に関し、より高画質な印刷画像を得られるようにする。【解決手段】  帯電したトナー粒子を含み不揮発性を示す液体トナーにより表面にトナー像が形成される感光ドラム５と、感光ドラム５から表面にトナー像が転写される中間転写体４と、中間転写体４に対し転写材２の走行経路を挟んで配設され中間転写体４の表面上のトナー像を転写材２の表面に転写させる転写ローラ３とを備えた、湿式電子写真装置であって、中間転写体４の転写ローラ３との対接部よりも中間転写体４の回転方向上流側に設けられ、中間転写体４から転写材２へ転写されるトナー像に対し非接触でトナー粒子と同極性で帯電させる帯電装置２０を備えて構成する。【選択図】        図１
2007041457.tif 000002
【特許請求の範囲】
【請求項１】
帯電したトナー粒子を含み不揮発性を示す液体トナーにより表面にトナー像が形成される感光ドラムと、
前記感光ドラムから表面に前記トナー像が転写される中間転写体と、
前記中間転写体に対し転写材の走行経路を挟んで配設され前記中間転写体の表面上の前記トナー像を前記転写材の表面に転写させる転写ローラとを備えた、湿式電子写真装置であって、
前記中間転写体の前記転写ローラとの対接部よりも前記中間転写体の回転方向上流側に設けられ、前記中間転写体から前記転写材へ転写される前記トナー像に対し非接触で前記トナー粒子と同極性で帯電させる帯電装置をそなえている
ことを特徴とする、湿式電子写真装置。
【請求項２】
前記帯電装置が、コロトロン又はスコロトロンである
ことを特徴とする、請求項１記載の湿式電子写真装置。
【請求項３】
前記帯電装置が、前記トナー像に対し非接触で前記トナー粒子と同極性で帯電させる帯電ローラである
ことを特徴とする、請求項１記載の湿式電子写真装置。
【発明の詳細な説明】
【技術分野】
【０００１】
本発明は、不揮発性を示す液体トナーを用いる湿式電子写真装置に関する。
【背景技術】
【０００２】
図７は従来の湿式電子写真装置（液体トナーを用いる電子写真装置）を示す側面図である。なお、液体のトナー（以下、トナー液という）１２は特定の極性に帯電したトナー粒子を絶縁性液体（キャリア又は溶媒ともいう）中に分散させたものであり、ここでは、トナー粒子は正（＋）に帯電されている。また、ここでは、高粘度，高濃度，不揮発性のトナー液を用いている。
【０００３】
図７に示すように、従来の湿式電子写真装置の画像形成ユニット１は、転写用紙２の走行経路の一面側（図７では転写用紙２の上面側）に配置されたバックアップローラ３と、バックアップローラ３に対し転写用紙２の走行経路を挟むように転写用紙２の走行経路の他面側（図７では転写用紙２の下面側）に配置された中間転写体としての中間転写ローラ４と、中間転写体４に対接し中間転写体４のバックアップローラ３とは反対側に配置された感光体（又は像担持体）としての感光ドラム５とを備えている。なお、バックアップローラ３，中間転写ローラ４及び感光ドラム５はそれぞれ図７中の矢印Ｒ1，Ｒ2及びＲ3に示す方向へ回転する。
【０００４】
バックアップローラ３及び中間転写ローラ４の表面は導電性のゴムなどの弾性体で形成されている。また、バックアップローラ３には電圧Ｖ1（Ｖ1＜０）が印加されているとともに、中間転写ローラ４には電圧Ｖ1よりも低い電圧Ｖ2（Ｖ2＜Ｖ1）が印加されており、バックアップローラ３及び中間転写ローラ４の表面はそれぞれ負（−）に印加されている。また、感光ドラム５の表面（感光面）は、暗いところでは絶縁性を示し、光を照射すると導電性を示す性質を有している。
【０００５】
感光ドラム５の周囲には、中間転写体４との対接部から感光ドラム５の回転方向（図７中の矢印Ｒ3方向）に沿って、クリーニング装置６，除電装置７，帯電装置８，露光装置９，現像装置１０，スクイズ装置１１が順に配設されている。
クリーニング装置６は、例えばブレードであり、感光ドラム５の表面に付着しているトナー液１２を掻き取って感光ドラム５の表面をクリーニングするようになっている。
【０００６】
除電装置７は、例えばＬＥＤ（light-emitting diode）であり、光照射により感光ドラム５の表面の幅方向（軸方向）全域を零（０）電位にするようになっている。
帯電装置８は、例えばコロナ帯電器であり、感光ドラム５の表面の幅方向全域をコロナ放電により正（＋）に帯電させるようになっている。
露光装置９は、例えばＬＥＤやレーザーであり、印刷対象絵柄データに基づいて絵柄部分となる感光ドラム５の表面に光を照射（描画）し、この照射部分を零（０）電位にするようになっている。これにより、感光ドラム５の表面に、零電位の部分（絵柄部分）と正（＋）に帯電した部分（絵柄以外の部分）とからなる静電潜像を形成することができる。
【０００７】
現像装置１０は、トナー液１２を貯留する液溜容器１０ａと、液溜容器１０ａ内のトナー液１２に浸されたローラ１０ｂと、ローラ１０ｂと感光ドラム５との間に配置されローラ１０ｂから感光ドラム５の表面へトナー液１２を供給するローラ１０ｃとを備えている。ローラ１０ｂは図７中の矢印Ｒ4方向へ回転し、ローラ１０ｃは図７中の矢印Ｒ5方向へ回転するようになっている。また、ローラ１０ｃは導電性のゴムなどの弾性体で形成されており、ローラ１０ｃには電圧Ｖ3（感光ドラム５の表面電位＞Ｖ3＞０）が印加されてローラ１０ｃの表面は正（＋）に印加されている。さらに、ローラ１０ｃの感光ドラム５との対接部よりもローラ１０ｃの回転方向下流側には、ローラ１０ｃ表面に付着しているトナー液１２を掻き取るブレード１０ｄが備えられている。
【０００８】
スクイズ装置１１は、感光ドラム５に対接して配置され図７中の矢印Ｒ6方向に回転して余剰なトナー液１２を取り除くスクイズローラ１１ａと、スクイズローラ１１ａの感光ドラム５との対接部よりも回転方向下流側に設けられスクイズローラ１１ａ表面に付着しているトナー液１２を掻き取るブレード１１ｂとを備えている。
従来の湿式電子写真装置の画像形成ユニット１は、上述のごとく構成されているので、感光ドラム５が回転する過程において、まず、クリーニング装置６により感光ドラム５の表面がクリーニングされる。次に、除電装置７により感光ドラム５の表面が零電位にされた後、帯電装置８により感光ドラム５の表面が正（＋）に帯電される。そして、露光装置９により感光ドラム５の表面が印刷対象絵柄データに基づいて部分的に露光されて、表面に正（＋）に帯電した部分（絵柄以外の部分）と零電位の部分（絵柄部分）とからなる静電潜像が形成される。
【０００９】
その後、現像装置１０のローラ１０ｂ及びローラ１０ｃにより液溜容器１０ａのトナー液１２が感光ドラム５の表面に供給される。このとき、ローラ１０ｃの表面は正（＋）に印加されているので、ローラ１０ｃの表面のトナー液１２はローラ１０ｃから反発力を受けて感光ドラム５の表面に供給される。感光ドラム５の表面に供給されたトナー液１２は、静電潜像の電気的吸着力によって零電位の部分（絵柄部分）に付着し、感光ドラム５の表面にトナー像が形成される。現像装置１０によるトナー像の形成後は、スクイズ装置１１により余剰なトナー液１２が取り除かれる。
【００１０】
感光ドラム５の表面に形成されたトナー像は、負（−）に印加された中間転写ローラ４の表面に引きつけられて中間転写ローラ４の表面に転写（一次転写）される。その後、中間転写ローラ４の更なる回転によりトナー像が転写用紙２に接したとき、トナー粒子とは反対の極性の電位に印加されたバックアップローラ３の表面に引きつけられると同時にバックアップローラ３からの圧力により、トナー像が転写用紙２の表面（図７では下面）に転写（二次転写）される。中間転写ローラ４の表面に残ったトナー液１２は、中間転写ローラ４のバックアップローラ３との対接部よりも回転方向下流側に配設されたブレード４ａにより掻き取られる。
【００１１】
なお、上述した画像形成ユニット１は単色刷り用であり、その印刷色はトナー液１２のトナー粒子の色により決まる。このため、多色印刷を行う場合には、転写用紙２の走行経路に沿って印刷色数に応じた個数の画像形成ユニット１が並設される。
また、特許文献１には、中間転写ローラのバックアップローラとの対接部よりも中間転写ローラの回転方向上流側に、内部に熱源を有し中間転写ローラに当接するヒートローラを備えた湿式電子写真装置が開示されている。このヒートローラは、中間転写ローラ表面上のトナー粒子を加熱溶融し、かつ、中間転写ローラからヒートローラへのトナー粒子の移動を防ぐために、中間転写ローラに対してトナー粒子の帯電と同極性の電圧を印加するようになっている。
【特許文献１】特開２０００−２９３１９号公報
【発明の開示】
【発明が解決しようとする課題】
【００１２】
しかしながら、上述した従来の湿式電子写真装置では、図８（ａ）に示すように、中間転写ローラ４表面上の絶縁性液体１２ａとトナー粒子１２ｂとからなるトナー液（トナー像）１２中のトナー粒子１２ｂの分布状態が不定となり、トナー液１２の厚み方向（層方向）での画像が強固なものとなっていない。このため、図８（ｂ）に示すように、トナー像を中間転写ローラ４から転写用紙２に転写する際に、中間転写ローラ４からの圧力Ｐ、及び印加電圧による移動によってトナー粒子１２ｂが動いてトナー像が乱れてしまう。これにより、印刷画像の画質が低下してしまう。
【００１３】
また、トナー粒子１２ｂは、一般に、樹脂，顔料，帯電材，帯電補助材，分散材等から形成されているが、トナー粒子１２ｂの帯電特性は、帯電材だけでなく、樹脂，顔料，帯電補助材，分散材の各分子が粒子径や分散状態によって持つ帯電特性にも依存している。このため、トナー像が中間転写ローラ４から転写用紙２に転写される前までの間にトナー粒子１２ｂの電荷がリークして電荷量が減少し、本来持つべき帯電特性を維持できずに転写用紙２への転写効率が低下することがある。そして、これによってもバックアップローラ３からの印加電圧による転写が不十分となり印刷画像の画質が低下してしまう。
【００１４】
なお、上述した特許文献１にかかる湿式電子写真装置は、中間転写ローラに対してトナー粒子の帯電と同極性の電圧を印加するヒートローラを備えているが、これは、中間転写ローラからヒートローラへのトナー粒子の移動を防ぐことを目的としたものである。また、ヒートローラは中間転写ローラに接触して設けられているので、中間転写ローラ表面上のトナー像が乱れてしまい、印刷画像の画質が低下してしまう。
【００１５】
本発明は、このような課題に鑑み創案されたものであり、より高画質な印刷画像を得られるようにした、湿式電子写真装置を提供することを目的とする。
【課題を解決するための手段】
【００１６】
上記課題を解決するため、請求項１記載の本発明の湿式電子写真装置は、帯電したトナー粒子を含み不揮発性を示す液体トナーにより表面にトナー像が形成される感光ドラムと、前記感光ドラムから表面に前記トナー像が転写される中間転写体と、前記中間転写体に対し転写材の走行経路を挟んで配設され前記中間転写体の表面上の前記トナー像を前記転写材の表面に転写させる転写ローラとを備えた、湿式電子写真装置であって、前記中間転写体の前記転写ローラとの対接部よりも前記中間転写体の回転方向上流側に設けられ、前記中間転写体から前記転写材へ転写される前記トナー像に対し非接触で前記トナー粒子と同極性で帯電させる帯電装置をそなえていることを特徴としている。
【００１７】
請求項２記載の本発明の湿式電子写真装置は、請求項１記載の装置において、前記帯電装置が、コロトロン又はスコロトロンであることを特徴としている。
請求項３記載の本発明の湿紙電子写真装置は、請求項１記載の装置において、前記帯電装置が、前記トナー像に対し非接触で前記トナー粒子と同極性で帯電させる帯電ローラであることを特徴としている。
【発明の効果】
【００１８】
本発明の湿式電子写真装置によれば、トナー粒子と同極性の帯電装置によってトナー粒子は帯電装置の電荷に反発してトナー像（トナー層）内で中間転写体の中心軸方向へ集まり、トナー像中のトナー粒子の分布状態が安定する。これにより、トナー像中のトナー粒子が圧密化されてトナー像の厚み方向（層方向）での画像が強固なものとなり、トナー像を中間転写体から転写用紙に転写する際に、トナー像が乱れるのを抑制できる。
【００１９】
また、これと同時に、帯電装置によりトナー粒子に電荷を付与（チャージ）することができるので、トナー粒子の帯電特性を維持しながら転写用紙への転写効率を向上させることが可能である。
さらに、帯電装置は、トナー像に対して非接触であるので、中間転写体表面上のトナー像が乱れてしまうこともない。
【００２０】
これにより、より高画質な印刷画像を得ることが可能となる。
【発明を実施するための最良の形態】
【００２１】
以下、図面を参照して本発明の実施の形態を説明する。
図１及び図２（ａ）〜図２（ｃ）は本発明の一実施形態としての湿式電子写真装置を説明するための図であり、図１はその側面図、図２（ａ）〜図２（ｃ）はトナー像中のトナー粒子の分布状態を拡大して示す図である。なお、図１及び図２において、前述した従来例の湿式電子写真装置と同一の部位については同一の符号を用いて示している。
【００２２】
図１及び図２に示すように、本実施形態にかかる湿式電子写真装置で用いられるトナー液１２は、特定の極性に帯電したトナー粒子１２ｂを絶縁性液体（キャリア又は溶媒ともいう）１２ａ中に分散させたものであり、ここでは、トナー粒子は正（＋）に帯電されている。また、ここでは、高粘度，高濃度で不揮発性のトナー液を用いている。
まず、本実施形態にかかる湿式電子写真装置の基本構成について説明する。図１に示すように、湿式電子写真装置の画像形成ユニット１は、転写用紙（転写材）２の走行経路の一面側（図１では転写用紙２の上面側）に配置されたバックアップローラ（転写ローラ）３と、バックアップローラ３に対し転写用紙２の走行経路を挟むように転写用紙２の走行経路の他面側（図１では転写用紙２の下面側）に配置された中間転写体としての中間転写ローラ４と、中間転写体４に対接し中間転写体４のバックアップローラ３とは反対側に配置された感光体（又は像担持体）としての感光ドラム５とを備えている。なお、バックアップローラ３，中間転写ローラ４及び感光ドラム５はそれぞれ図１中の矢印Ｒ1，Ｒ2及びＲ3に示す方向へ回転する。
【００２３】
バックアップローラ３及び中間転写ローラ４の表面は導電性のゴムなどの弾性体で形成されている。また、バックアップローラ３には電圧Ｖ1（Ｖ1＜０）が印加されているとともに、中間転写ローラ４には電圧Ｖ1よりも低い電圧Ｖ2（Ｖ2＜Ｖ1）が印加されており、バックアップローラ３及び中間転写ローラ４の表面はそれぞれ負（−）に帯電されている。また、感光ドラム５の表面（感光面）は、暗いところでは絶縁性を示し、光を照射すると導電性を示す性質を有している。
【００２４】
感光ドラム５の周囲には、中間転写体４との対接部から感光ドラム５の回転方向（図７中の矢印Ｒ3方向）に沿って、クリーニング装置６，除電装置７，帯電装置８，露光装置９，現像装置１０が順に配設されている。なお、本実施形態では、従来のようなスクイズ装置１１（図７参照）を設けていないが、従来と同様にスクイズ装置１１を設けるようにしてもよい。
【００２５】
クリーニング装置６は、例えばブレードであり、感光ドラム５の表面に付着しているトナー液１２を掻き取って感光ドラム５の表面をクリーニングするようになっている。
除電装置７は、例えばＬＥＤ（light-emitting diode）であり、光照射により感光ドラム５の表面の幅方向（軸方向）全域を零（０）電位にするようになっている。
帯電装置８は、例えばコロナ帯電器であり、感光ドラム５の表面の幅方向全域をコロナ放電により正（＋）に帯電させるようになっている。
【００２６】
露光装置９は、例えばＬＥＤやレーザーであり、印刷対象絵柄データに基づいて絵柄部分となる感光ドラム５の表面に光を照射（描画）し、この照射部分を零（０）電位にするようになっている。これにより、感光ドラム５の表面に、零電位の部分（絵柄部分）と正（＋）に帯電した部分（絵柄以外の部分）とからなる静電潜像を形成することができる。
現像装置１０は、トナー液１２を貯留する液溜容器１０ａと、液溜容器１０ａ内のトナー液１２に浸されたローラ１０ｂと、ローラ１０ｂと感光ドラム５との間に配置されローラ１０ｂから感光ドラム５の表面へトナー液１２を供給するローラ１０ｃとを備えている。ローラ１０ｂは図１中の矢印Ｒ4方向へ回転し、ローラ１０ｃは図１中の矢印Ｒ5方向へ回転するようになっている。また、ローラ１０ｃは導電性のゴムなどの弾性体で形成されており、ローラ１０ｃには電圧Ｖ3（Ｖ3＞０）が印加されている。さらに、ローラ１０ｃの感光ドラム５との対接部よりもローラ１０ｃの回転方向下流側には、ローラ１０ｃ表面に付着しているトナー液１２を掻き取るブレード１０ｄが備えられている。
【００２７】
また、本実施形態にかかる湿式電子写真装置の画像形成ユニット１には、上記構成に加え、中間転写ローラ４のバックアップローラ３との対接部よりも中間転写ローラ４の回転方向上流側に設けられ、中間転写ローラ４から転写用紙２へ転写される直前のトナー像に対しトナー粒子１２ｂと同極性〔ここでは正（＋）〕で帯電させる帯電器（帯電装置）２０が備えられている。帯電器２０は、中間転写ローラ４に対して（中間転写ローラ４表面上のトナー像に対しても）非接触で配置されており、電圧Ｖ4（Ｖ4＞０）が印加されている。このような帯電器２０としては、例えば公知のコロトロン又はスコロトロンなどを用いることができる。
【００２８】
通常、中間転写ローラ４表面上のトナー液（トナー像）１２中のトナー粒子１２ｂの分布状態は不定であるが、帯電器２０によりトナー像に対して正（＋）に帯電させると、図２（ａ）に示すようにトナー粒子１２ｂが反発してトナー像内で中間転写体の中心軸方向へ移動し、図２（ｂ）に示すようにトナー像の底部に集まってトナー粒子１２ｂが圧密化され、トナー像の厚み方向（層方向）での画像が強固なものとなる。これにより、図２（ｃ）に示すように、トナー像を中間転写ローラ４から転写用紙２に転写する際に中間転写ローラ４からの圧力Ｐでトナー像が乱れるのを抑制できる。また、同時に、帯電器２０によりトナー粒子１２ｂに正（＋）電荷を付与（チャージ）することができるので、トナー粒子１２ｂの帯電特性を維持しながら転写用紙２への転写効率を向上させることが可能である。さらに、帯電器２０は、中間転写ローラ４に対して非接触であるので、中間転写ローラ４表面上のトナー像が乱れてしまうこともない。これにより、より高画質な印刷画像を得ることが可能となる。
【００２９】
なお、帯電器２０を設ける代わりに中間転写ローラ４の電圧Ｖ2を負（−）側に大きくしてトナー液１２中のトナー粒子１２ｂを中間転写ローラ４の回転中心側に引きつけることが考えられるが、この場合、バックアップローラ３の電圧Ｖ1を中間転写ローラ４の電圧Ｖ4よりも更に負（−）側に大きくする必要があるので、効率がよくない。
本実施形態にかかる湿式電子写真装置は、上述のごとく構成されているので、感光ドラム５が回転する過程において、まず、クリーニング装置６により感光ドラム５の表面がクリーニングされる。次に、除電装置７により感光ドラム５の表面が零電位にされた後、帯電装置８により感光ドラム５の表面が正（＋）に帯電される。そして、露光装置９により感光ドラム５の表面が印刷対象絵柄データに基づいて部分的に露光されて、表面に正（＋）に帯電した部分（絵柄以外の部分）と零電位の部分（絵柄部分）とからなる静電潜像が形成される。
【００３０】
その後、現像装置１０のローラ１０ｂ及びローラ１０ｃにより液溜容器１０ａのトナー液１２が感光ドラム５の表面に供給される。このとき、ローラ１０ｃの表面は正（＋）に帯電しているので、ローラ１０ｃの表面のトナー液１２はローラ１０ｃから反発力を受けて感光ドラム５の表面に供給される。感光ドラム５の表面に供給されたトナー液１２は、静電潜像の電気的吸着力によって零電位の部分（絵柄部分）に付着し、感光ドラム５の表面にトナー像が形成される。なお、従来のようなスクイズ装置１１を設けられている場合には、現像装置１０によるトナー像の形成後にスクイズ装置１１により余剰なトナー液１２を取り除く。
【００３１】
感光ドラム５の表面に形成されたトナー像は、負（−）に印加した中間転写ローラ４の表面に引きつけられて中間転写ローラ４の表面に転写（一次転写）される。そして、中間転写ローラ４の更なる回転によりトナー像が転写用紙２に接する手前で、帯電器２０によりトナー像中のトナー粒子１２ｂが圧密化された後、中間転写ローラ４よりも電位の低いバックアップローラ３の表面に引きつけられると同時にバックアップローラ３からの圧力により、トナー像が転写用紙２の表面（図１では下面）に転写（二次転写）される。中間転写ローラ４の表面に残ったトナー液１２は、中間転写ローラ４のバックアップローラ３との対接部よりも回転方向下流側に配設されたブレード４ａにより掻き取られる。
【００３２】
以上、本発明の一実施形態について説明したが、本発明は上述の実施形態に限定されるものではなく、本発明の趣旨を逸脱しない範囲で種々変形して実施することができる。
例えば、上述した画像形成ユニット１は単色刷り用であり、その印刷色はトナー液１２のトナー粒子１２ｂの色により決まる。このため、多色印刷を行う場合には、図３に示すように、転写用紙２の走行経路に沿って印刷色数に応じた個数の画像形成ユニット１を並設する（第１変形例）。
【００３３】
また、本実施形態では中間転写体として中間転写ローラ４を設けたが、中間転写ローラ４の代わりにベルト状の中間転写ベルトを設けるようにしてもよい。例えば図４に示す構成は、図３に示す各中間転写ローラ４の代わりに１つの中間転写ベルト４′を設けた場合を示している（第２変形例）。図４に示す構成によれば、中間転写ベルト４′表面上に各色のトナー像を重ねて形成した後、転写用紙２に転写するようになっている。なお、図４では中間転写ベルト４′と各感光ドラム５との対接部よりも中間転写ベルト４′の回転方向下流側にそれぞれ帯電器２０を設けているが、中間転写ベルト４′と最下流側に配置された感光ドラム５（図４中の一番左にある感光ドラム５）との対接部よりも中間転写ベルト４′の回転方向下流側であって、中間転写ベルト４′のバックアップローラ３との対接部よりも中間転写ベルト４′の回転方向上流側に１つだけ設けるようにしてもよい。ただし、図４に示すように、中間転写ベルト４′と各感光ドラム５との対接部よりも中間転写ベルト４′の回転方向下流側にそれぞれ帯電器２０を設けたほうが画像の乱れが抑制されるので好ましい。
【００３４】
また、図５に示すように、１つの感光ドラム５に対して各色の現像装置１０を備える構成にしてもよい（第３変形例）。
さらに、図６に示すように、帯電器２０の代わりに、電圧Ｖ5（Ｖ5＞０）が印加された帯電ローラ（帯電装置）３０を備えるようにしてもよい（第４変形例）。ただし、この場合も、帯電ローラ３０を中間転写ローラ４に対して（中間転写ローラ４表面上のトナー像に対しても）非接触で配置する。つまり、前述した特許文献１のヒートローラを中間転写ローラから離隔させる。この場合、ヒートローラの内部の熱源は必要ない。なお、図６中の矢印Ｒ7は帯電ローラ３０の回転方向を示しているが、特に回転させなくともよい。
【００３５】
なお、図３，図４及び図５では、ローラを３つ備えた現像装置１０を示しているが、機能は本実施形態で説明したものと同様である。
【図面の簡単な説明】
【００３６】
【図１】本発明の一実施形態としての湿式電子写真装置を示す側面図である。
【図２】（ａ）〜（ｃ）はトナー像中のトナー粒子の分布状態を拡大して示す図である。
【図３】本発明の第１変形例としての湿式電子写真装置を示す側面図である。
【図４】本発明の第２変形例としての湿式電子写真装置を示す側面図である。
【図５】本発明の第３変形例としての湿式電子写真装置を示す側面図である。
【図６】本発明の第４変形例としての湿式電子写真装置を示す側面図である。
【図７】従来の湿式電子写真装置を示す側面図である。
【図８】（ａ）及び（ｂ）は従来の課題を説明するための図である。
【符号の説明】
【００３７】
１  画像形成ユニット
２  転写用紙
３  バックアップローラ（転写ローラ）
４  中間転写ローラ（中間転写体）
４′中間転写ベルト（中間転写体）
４ａ  ブレード
５  感光ドラム
６  クリーニング装置
７  除電装置
８  帯電装置
９  露光装置
１０  現像装置
１１  スクイズ装置
１１ａ  スクイズローラ
１１ｂ  ブレード
１０ａ  液溜容器
１０ｂ，１０ｃ  ローラ
１０ｄ  ブレード
１２  液体トナー（トナー液）
１２ａ  絶縁性液体
１２ｂ  トナー粒子
２０  帯電器（帯電装置）
３０  帯電ローラ（帯電装置）
【図１】
2007041457.tif 000003
【図２】
2007041457.tif 000004
【図３】
2007041457.tif 000005
【図４】
2007041457.tif 000006
【図５】
2007041457.tif 000007
【図６】
2007041457.tif 000008
【図７】
2007041457.tif 000009
【図８】
2007041457.tif 000010